(57)【要約】【課題】電気的接続が容易に行い得るとともに意匠性にも優れた照明設備を提供すること。【解決手段】照明設備１は、多角形形状の照明ピース１０と、隣接する複数枚の照明ピース間を接続する接続ピース２０と、で構成する。照明ピース１０は、長方形形状等のプリント回路基板１１と、プリント回路基板１０上に実装する複数のＬＥＤ１２と、プリント回路基板上の縁端部スペースに配置実装する電極端子群１３と、を備える。接続ピース２０は、所定の凹部２２１を備えるベース体２２と、電導体２１と、を備える。【選択図】図１
2018147701.tif 000002
【特許請求の範囲】
【請求項１】
所定の照明ピースを複数枚組み合わせて接続し一体化した照明設備であって、
多角形形状のプリント回路基板と、前記プリント回路基板上に実装した複数の発光体と、前記プリント回路基板上の縁端部に配置実装した電極端子群と、からなる複数の照明ピースと、
隣接する複数枚の前記照明ピースのいずれの縁端部も挟持する複数ケ所の凹部を有し、かつ、前記凹部間にわたって配設された電導体を備える複数の接続ピースと、
で構成する照明設備。
【請求項２】
前記電極端子群を前記プリント回路基板上の１辺に複数設けた請求項１の照明設備。
【請求項３】
前記電極端子群を前記プリント回路基板上のすべての辺に設けた請求項１又は請求項２の照明設備。
【請求項４】
前記電極端子群を前記プリント回路基板の中央又は中心から対称に配置した請求項１から請求項３いずれかに記載の照明設備。
【請求項５】
前記複数のプリント回路基板の少なくとも１辺の長さが同一である請求項１から請求項４いずれかに記載の照明設備。
【請求項６】
前記複数のプリント回路基板のすべての辺の長さが同一である請求項５の照明設備。
【請求項７】
前記接続ピースの凹部間に一定の角度を設けた請求項１から請求項６いずれかに記載の照明設備。
【発明の詳細な説明】
【技術分野】
【０００１】
本願発明は、電極端子群と発光体とを実装したプリント回路基板（以下、「照明ピース」と呼ぶ。）を複数枚組み合わせ、所定の接続ピースで接続し一体化した照明設備に関するものである。
【背景技術】
【０００２】
プリント回路基板上に光源を備えた単位基板を複数組み合わせてなる面状光源装置又は照明設備の発明は、存在する（例えば、特許文献１及び特許文献２）。
【先行技術文献】
【特許文献】
【０００３】
【特許文献１】特開２００６−２２１９６６号公報
【特許文献２】特願２０１６−０４０４８５
【発明の概要】
【発明が解決しようとする課題】
【０００４】
上述した面状光源装置又は照明設備は、任意の形状への成形が容易で、かつ最低限の電気配線で動作させることができる照明設備と考える。しかしながら、照明設備の製造（組み立て、成形）又は交換の際の電気的接続の容易性や照明設備としての意匠性といった面では、さらなる改良の余地があるものと考える。
【０００５】
そこで、照明設備の製造又は交換の際の電気的接続がより容易に行い得る照明設備を提供することを課題とした。
【０００６】
また、多様な形状の照明設備が製造可能な照明設備を提供することも課題とした。
【課題を解決するための手段】
【０００７】
本願発明は、上述の課題を解決するために、所定の照明ピースを複数枚組み合わせて接続し一体化した照明設備であって、多角形形状のプリント回路基板と、前記プリント回路基板上に実装した複数の発光体と、前記プリント回路基板上の縁端部に配置実装した電極端子群と、からなる複数の照明ピースと、隣接する複数枚の前記照明ピースのいずれの縁端部も挟持する複数ケ所の凹部を有し、かつ、前記凹部間にわたって配設された電導体を備える複数の接続ピースと、で構成する照明設備を提供する。
【０００８】
また、本願発明は、上述の課題を解決するために、所定の照明ピースを複数枚組み合わせて接続し一体化した照明設備であって、多角形形状のプリント回路基板と、前記プリント回路基板上に実装した複数の発光体と、前記プリント回路基板上の縁端部に配置実装した電極端子群と、からなる複数の照明ピースと、隣接する複数枚の前記照明ピースのいずれの縁端部も挟持する複数ケ所の凹部を有し、かつ、前記凹部間にわたって配設された電導体を備える複数の接続ピースとで構成し、前記電極端子群を前記プリント回路基板上の１辺の縁端部に複数設けた照明設備を提供する。
【０００９】
また、本願発明は、上述の課題を解決するために、所定の照明ピースを複数枚組み合わせて接続し一体化した照明設備であって、多角形形状のプリント回路基板と、前記プリント回路基板上に実装した複数の発光体と、前記プリント回路基板上の縁端部に配置実装した電極端子群と、からなる複数の照明ピースと、隣接する複数枚の前記照明ピースのいずれの縁端部も挟持する複数ケ所の凹部を有し、かつ、前記凹部間にわたって配設された電導体を備える複数の接続ピースとで構成し、前記電極端子群を前記プリント回路基板上のすべての辺の縁端部に設けた照明設備を提供する。
【００１０】
また、本願発明は、上述の課題を解決するために、所定の照明ピースを複数枚組み合わせて接続し一体化した照明設備であって、多角形形状のプリント回路基板と、前記プリント回路基板上に実装した複数の発光体と、前記プリント回路基板上の縁端部に配置実装した電極端子群と、からなる複数の照明ピースと、隣接する複数枚の前記照明ピースのいずれの縁端部も挟持する複数ケ所の凹部を有し、かつ、前記凹部間にわたって配設された電導体を備える複数の接続ピースとで構成し、前記電極端子群を前記プリント回路基板の中央又は中心から対称に配置した照明設備を提供する。
【００１１】
また、本願発明は、上述の課題を解決するために、所定の照明ピースを複数枚組み合わせて接続し一体化した照明設備であって、多角形形状のプリント回路基板と、前記プリント回路基板上に実装した複数の発光体と、前記プリント回路基板上の縁端部に配置実装した電極端子群と、からなる複数の照明ピースと、隣接する複数枚の前記照明ピースのいずれの縁端部も挟持する複数ケ所の凹部を有し、かつ、前記凹部間にわたって配設された電導体を備える複数の接続ピースとで構成し、前記複数のプリント回路基板の少なくとも１辺の長さが同一である照明設備を提供する。
【００１２】
また、本願発明は、上述の課題を解決するために、所定の照明ピースを複数枚組み合わせて接続し一体化した照明設備であって、多角形形状のプリント回路基板と、前記プリント回路基板上に実装した複数の発光体と、前記プリント回路基板上の縁端部に配置実装した電極端子群と、からなる複数の照明ピースと、隣接する複数枚の前記照明ピースのいずれの縁端部も挟持する複数ケ所の凹部を有し、かつ、前記凹部間にわたって配設された電導体を備える複数の接続ピースとで構成し、前記複数のプリント回路基板のすべての辺の長さが同一である照明設備を提供する。
【００１３】
また、本願発明は、上述の課題を解決するために、所定の照明ピースを複数枚組み合わせて接続し一体化した照明設備であって、多角形形状のプリント回路基板と、前記プリント回路基板上に実装した複数の発光体と、前記プリント回路基板上の縁端部に配置実装した電極端子群と、からなる複数の照明ピースと、隣接する複数枚の前記照明ピースのいずれの縁端部も挟持する複数ケ所の凹部を有し、かつ、前記凹部間にわたって配設された電導体を備える複数の接続ピースとで構成し、前記接続ピースの凹部間に一定の曲げ角度を設けた照明設備を提供する。
【発明の効果】
【００１４】
本願発明の照明設備は、電極端子群及びＬＥＤを実装する所定のプリント回路基板からなる照明ピースと、隣接する複数枚の前記照明ピースのいずれの縁端部も挟持する複数ケ所の凹部を有し、かつ、前記凹部間にわたって配設された電導体を備える複数の接続ピースと、で構成する照明設備であるため、電気的接続が容易である。また、複数枚の照明ピースの組み合わせで様々な形状の照明設備とすることができるため意匠性に優れた照明設備も製造可能である。
【００１５】
また、本願発明の照明設備は、電極端子群をプリント回路基板上の１辺に複数設けているため、より組み合わせが豊富で意匠性に富むとともに、電気的接続も容易である。
【００１６】
また、本願発明の照明設備は、電極端子群をプリント回路基板上のすべての辺に設けているため、より組み合わせが豊富で意匠性に富むとともに、電気的接続も容易である。
【００１７】
また、本願発明の照明設備は、電極端子群をプリント回路基板の中央又は中心から対称に配置したため、電気的接続がより容易となる（照明ピースを接続する際の位置合わせがより容易となる）。
【００１８】
また、本願発明の照明設備は、複数のプリント回路基板の少なくとも１辺の長さが同一であるため、電気的接続がより容易となる（照明ピースを接続する際に辺の端部を一致させるのみで済み位置合わせがより容易となる）。
【００１９】
また、本願発明の照明設備は、複数のプリント回路基板のすべての辺の長さを同一（正五角形、正六角形、正方形など）としたため、電気的接続がより容易となる（照明ピースを接続する際にいずれの辺であっても端部を一致させるのみで済み位置合わせがより容易となる）。
【００２０】
また、本願発明の照明設備は、接続ピースの凹部間に一定の角度を設けているため、平面だけでなく立体的な照明設備を組み合わせることも容易となり、より意匠性に富む。
【図面の簡単な説明】
【００２１】
【図１】図１は実施例１の照明設備の全体構成を示す平面図である。
【図２】図２は長方形形状の照明ピースの平面図である。
【図３】図３は接続ピースの全体構成を示す図である。
【図４】図４は接続ピースの切断断面図である。
【図５】図５は照明設備の製造（組み立て）過程を示すイメージ図である。
【図６】図６は照明ピースと接続ピースとの挟持状態（嵌合状態）を示す図である。
【図７】図７は照明ピースと接続ピースとの電気的接続状態を示す図である。
【図８】図８は実施例２の照明設備の全体構成を示す平面図である。
【図９】図９は実施例２の照明設備の側面図である。
【図１０】図１０は正五角形形状の照明ピースの平面図である。
【図１１】図１１は第１種接続ピース（凹部間角度１１７度）の切断断面図である。
【図１２】図１２は第２種接続ピース（凹部間角度１３８度）の切断断面図である。
【図１３】図１３は実施例３の照明設備の全体構成を示す平面図である。
【図１４】図１４は実施例３の照明設備の斜視図である。
【図１５】図１５は正六角形形状の照明ピースの平面図である。
【図１６】図１６は正方形形状の照明ピースの平面図である。
【図１７】図１７は凹部間角度９０度の接続ピースの切断断面図である。
【発明を実施するための形態】
【００２２】
所定の照明ピースを複数枚組み合わせ、所定の接続ピースで接続し一体化した照明設備として実施する。
【実施例１】
【００２３】
まずは、照明設備の構成について、図１から図４に従い説明する。
【００２４】
照明設備（１）は、４枚の長方形形状の照明ピース（１０）と、隣接した２枚の前記照明ピースの各々の縁端部に嵌め込んで挟持する４個の接続ピース（２０）とで構成する（図１）。
【００２５】
前記照明ピース（１０）は、長方形形状のプリント回路基板（１１）と、前記プリント回路基板上に実装した８個のＬＥＤ（１２）と、前記プリント回路基板上の長辺側縁端部スペース及び短辺側縁端部スペースに配置実装した電極端子群（１３）とを少なくとも備える（図２）。
【００２６】
前記プリント回路基板（１１）の長辺は３６０ミリメートル、短辺は１８０ミリメートルである。
【００２７】
前記ＬＥＤ（１２）は、前記電極端子群（１３）を介して電気を受給し発光するものであればいかなるＬＥＤでも良い。
【００２８】
前記電極端子群（１３）の構成について、３本の正電極端子（１３１）と、１本の負電極端子（１３２）と、で構成する（図２）。
【００２９】
前記電極端子群（１３）の配置及び数について、前記プリント回路基板（１１）の長辺側又は短辺側の少なくとも１辺の縁端部スペースに配置実装していれば良いが、複数のプリント回路基板を組み合わせる際のバリエーションの多さや、電気的接続の容易性を考慮すると、長辺側又は短辺側のすべての縁端部スペースに配置実装することが好ましい。さらに好ましくは、複数の電極端子群を配置実装することである（図２）。
【００３０】
前記電極端子群（１３）を前記プリント回路基板（１１）の中央又は中心から対称に配置しているため、いずれか一方の辺の端部を揃えて接続するだけで前記電極端子群が相互に対向する（図１）。
【００３１】
前記接続ピース（２０）は、樹脂製のベース体（２２）と、前記ベース体の内部に備え電気を伝達する電導体（２１）と、で構成する（図３）。
【００３２】
前記ベース体（２２）は、２カ所（両端部）に凹部（２２１）を設けており、前記凹部間にわたって前記電導体（２１）を配設している（図４）。
【００３３】
前記ベース体の両端に設けた２ケ所の凹部（２２１）について、隣接する２枚の照明ピース（１０）の各々の縁端部に嵌め込んで支持（挟持）するためのものであり、また、前記電導体（２１）を通じて、前記電極端子群を電気的に相互接続するためのものでもある。
【００３４】
次に、照明設備の製造過程（各照明ピースと各接続ピースとの接続過程）について、図５から図７に従い説明する。
【００３５】
長辺側を縦向き（垂直方向）に配置した第１の照明ピース（１０）の右上部側スペースに配置実装している電極端子群（１３）に、接続ピース（２０）の左側凹部を嵌め込み、長辺側を横向き（水平方向）に配置した照明ピースの左側スペースに配置実装している電極端子群に前記接続ピースの右側凹部を嵌め込み接続する（図５及び図６）。
【００３６】
なお、このときに、前記両照明ピースの上端辺を揃えるだけで電極端子群（１３）相互間の位置が対向する。また、前記接続ピース（２０）の嵌め込みにより、当該電極端子群上を前記電導体（２１）が接触するため、電気的にも接続される（図５及び図７）。
【００３７】
同様に、前記横向きに配置した照明ピースの右下側スペースに配置実装している電極端子群に、接続ピースの上側凹部を嵌め込み、当該接続ピースの下側凹部に、縦向き照明ピースを嵌合する。さらに、当該縦向きに配置した照明ピースの左下側スペースに配置実装している電極端子群に接続ピースを嵌め込み、前記縦向きに配置した第１の照明ピース（１０）の下側スペースに配置実装した電極端子群にも接続ピースを嵌め込み、当該２個の接続ピースに横向きに配置した新たな照明ピースを嵌め込むと図１の状態になる。
【００３８】
最後に、いずれかの前記電極端子群（１３）に、外部から電源（図示せず）を供給することですべての前記照明ピースに電気が供給されるため前記ＬＥＤ（１２）が発光し、照明設備として機能する。
【実施例２】
【００３９】
実施例２の照明設備は、接続ピースが一定の角度で曲がっており、かつ、プリント回路基板の形状が正五角形形状である照明設備であり、その構成について図８から図１２に従い説明する。
【００４０】
照明設備（１）は、６枚の正五角形形状の照明ピース（３０）と、隣接した２枚の前記照明ピースの各々の縁端部に嵌め込んで挟持する１０個の接続ピース（２０）とで構成する（図８）。
【００４１】
前記接続ピース（２０）は、中央底部に配置した照明ピースの５辺の縁端部に凹部の一方を嵌め込んで挟持する５個の第１種接続ピース（２１）と、前記照明ピースの周囲に配置した５枚の照明ピース間に嵌め込んで挟持する５個の第２種接続ピース（２２）と、で構成する（図８及び図９）。
【００４２】
前記照明ピース（３０）は、正五角形形状のプリント回路基板（３１）と、前記プリント回路基板上に実装した１０個のＬＥＤ（３２）と、前記プリント回路基板上の各辺側縁端部スペースに配置実装した電極端子群（３３）とを少なくとも備える（図１０）。
【００４３】
前記電極端子群（３３）の構成について、３本の正電極端子（３３１）と、１本の負電極端子（３３２）と、で構成している（図１０）。
【００４４】
前記電極端子群（３３）の配置及び数について、前記プリント回路基板（３１）のいずれか１辺の少なくとも１ケ所の縁端部スペースに配置実装していれば良いが、複数のプリント回路基板を組み合わせる際のバリエーションの多さや、電気的接続の容易性を考慮すると、各辺側のすべての縁端部スペースに配置実装することが好ましい。さらに好ましくは、複数の電極端子群を配置実装することである（図１０）。
【００４５】
また、前記電極端子群（１３）を前記プリント回路基板（１１）の中央又は中心から対称に配置しているため、いずれか一方の辺の端部を揃えて接続するだけで前記電極端子群が相互に対向する（図１０）
【００４６】
前記第１種接続ピース（２１）及び前記第２種接続ピース（２２）の構成について、２カ所（両端部）に凹部を設けた樹脂製のベース体と、前記２ケ所の凹部間にわたって配設された電導体とで構成しているのは実施例１と同様であるが、当該凹部間に一定の角度（Ａ）を設けている点が異なる（図１１及び図１２）。
【００４７】
ちなみに、凹部間角度（Ａ）は、前記第１種接続ピース（２１）が１１７度で、前記第２種接続ピース（２２）が１３８度である（図１１及び図１２）。
【００４８】
次に、照明設備の製造過程（各照明ピースと各接続ピースとの接続過程）について、図８及び図９に従い説明する。
【００４９】
中央底辺に配置した第１の照明ピース（３０）の各辺側スペースに配置実装している電極端子群に、第１種接続ピース（２１）の一方側凹部を嵌め込み、他方側凹部に他の照明ピースを嵌め込み接続する（図８及び図９）。
【００５０】
前記第１種接続ピース（２１）の凹部間に１１７度の角度を設けているため、前記他の照明ピースは前記第１の照明ピースに対して立体的に接続される（図８及び図９）。
【００５１】
同様に第２種接続ピース（２２）を隣接する他の照明ピース間に嵌め込み接続する（図８及び図９）。
【００５２】
照明ピースの各辺端部を揃えるだけで電極端子群相互間の位置が対向するのは実施例１と同様である。
【００５３】
最後に、いずれかの前記電極端子群に、外部から電源（図示せず）を供給することで、すべての前記照明ピースに電気が供給されるため前記ＬＥＤが発光し、照明設備として機能する。
【実施例３】
【００５４】
実施例３の照明設備は、実施例２の正五角形形状の照明ピースと正六角形形状の照明ピースとを組み合わせた照明設備であり、その構成について図１３から図１５及び図１０に従い説明する。
【００５５】
照明設備（１）は、１枚の正五角形形状の照明ピース（３０）と、隣接した２枚の照明ピースの各々の縁端部に嵌め込んで挟持する１０個の接続ピース（２０）とで構成する（図１３）。
【００５６】
前記接続ピース（２０）は、中央底部に配置した五角形形状の状照明ピース（３０）の５辺の縁端部に凹部の一方を嵌め込んで挟持する５個の第１種接続ピース（２１）と、前記照明ピースの周囲に配置した５枚の六角形形状の照明ピース（４０）の間に嵌め込んで挟持する５個の第２種接続ピース（２２）と、で構成する（図１３及び図１４）。
【００５７】
前記照明ピース（４０）は、正六角形形状のプリント回路基板（４１）と、前記プリント回路基板上に実装した１２個のＬＥＤ（４２）と、前記プリント回路基板上の各辺側縁端部スペースに配置実装した電極端子群（４３）とを少なくとも備える（図１５）。
【００５８】
前記電極端子群（４３）の構成について、３個の正電極端子（４３１）と、１個の負電極端子（４３２）と、で構成している（図１５）。
【００５９】
前記電極端子群（４３）の配置及び数について、前記プリント回路基板（４１）のいずれか１辺の少なくとも１ケ所の縁端部スペースに配置実装していれば良いが、複数のプリント回路基板を組み合わせる際のバリエーションの多さや、電気的接続の容易性を考慮すると、各辺側のすべての縁端部スペースに配置実装することが好ましい。さらに好ましくは、複数の電極端子群を配置実装することである（図１５）。
【００６０】
また、前記電極端子群（３３及び４３）を前記プリント回路基板（３１及び４１）の中央又は中心から対称に配置しているため、いずれか一方の辺の端部を揃えて接続するだけで前記電極端子群が相互に対向する（図１３）。
【００６１】
照明設備の製造過程（各照明ピースと各接続ピースとの接続過程）については、実施例２と略同様であるので説明を省略する。
【００６２】
なお、上記した照明ピース又は接続ピース以外にも、正方形形状の照明ピース（５０）や、凹部間角度（Ａ）を９０度（直角）にした接続ピース（２０）も使用し得る（図１６及び図１７）。
【産業上の利用可能性】
【００６３】
本願発明の照明設備は、電気的接続が容易であるとともに意匠性にも優れた照明設備であるので産業上の利用可能性を有する。
【符号の説明】
【００６４】
１          照明設備
１０        長方形形状の照明ピース
１１        プリント回路基板
１２        ＬＥＤ（発光体）
１３        電極端子群
１３１      ３本の正電極端子
１３２      １本の負電極端子
２０        接続ピース（水平タイプ、１１７度曲げタイプ、１３８度曲げタイプ、直角曲げタイプ）
２１        電導体
２２        ベース体
２２１      凹部
３０        正五角形形状の照明ピース
３１        プリント回路基板
３２        ＬＥＤ（発光体）
３３        電極端子群
３３１      ３本の正電極端子
３３２      １本の負電極端子
４０        正六角形形状の照明ピース
４１        プリント回路基板
４２        ＬＥＤ（発光体）
４３        電極端子群
４３１      ３本の正電極端子
４３２      １本の負電極端子
５０        正方形形状の照明ピース
５１        プリント回路基板
５２        ＬＥＤ（発光体）
５３        電極端子群
５３１      ３本の正電極端子
５３２      １本の負電極端子
【図１】
2018147701.tif 000003
【図２】
2018147701.tif 000004
【図３】
2018147701.tif 000005
【図４】
2018147701.tif 000006
【図５】
2018147701.tif 000007
【図６】
2018147701.tif 000008
【図７】
2018147701.tif 000009
【図８】
2018147701.tif 000010
【図９】
2018147701.tif 000011
【図１０】
2018147701.tif 000012
【図１１】
2018147701.tif 000013
【図１２】
2018147701.tif 000014
【図１３】
2018147701.tif 000015
【図１４】
2018147701.tif 000016
【図１５】
2018147701.tif 000017
【図１６】
2018147701.tif 000018
【図１７】
2018147701.tif 000019